(57)【要約】    【課題】グレーイメージ部分がはっきりとしている印刷結果を得ることが出来るカラー印刷装置を、提供する。    【解決手段】カラー印刷装置を、要特殊印刷情報を含む印刷データ（自装置が生成した印刷データ或いは自装置に対して送信されてきた印刷データ）の処理時（ステップＳ１０１；ＹＥＳ）に、各イメージオブジェクトについて、そのイメージオブジェクトの種類（グレーイメージオブジェクト，カラーイメージオブジェクトの別）に応じた内容の処理（ステップＳ１０２〜Ｓ１０４）を行うことによって、印刷エンジンに印刷を行わせるためのデータを生成する装置として構成しておく。    【選択図】  図６
2007130794.tif 000002
【特許請求の範囲】
【請求項１】
カラー印刷を行うための印刷実行部と、
各種オブジェクトからなる印刷対象画像の印刷を前記印刷実行部に行わせるために、前記印刷対象画像を構成するオブジェクト毎に要素データを生成して、生成した各要素データを含む印刷内容規定データを前記印刷実行部に供給する処理を行う制御部であって、カラーイメージオブジェクトについては、カラーイメージオブジェクト用要素データ生成処理を行うことにより要素データを生成し、各グレイイメージオブジェクトについては、前記カラーイメージオブジェクト用要素データ生成処理とは異なる内容のグレーイメージオブジェクト用要素データ生成処理を行うことにより要素データを生成する制御部と
を、備えることを特徴とするカラー印刷装置。
【請求項２】
カラー印刷を行うための印刷実行部と、
各種オブジェクトからなる印刷対象画像の印刷を前記印刷実行部に行わせるために、前記印刷対象画像を構成するオブジェクト毎に要素データを生成して、生成した各要素データを含む印刷内容規定データを前記印刷実行部に供給する処理を行う制御部と
を、備え、
前記制御部が、
第１動作モードと第２動作モードとで動作可能なユニットであると共に、
前記第１動作モードで動作している場合には、各カラーイメージオブジェクトについては、カラーイメージオブジェクト用要素データ生成処理を行うことにより要素データを生成し、各グレイイメージオブジェクトについては、前記カラーイメージオブジェクト用要素データ生成処理とは異なる内容のグレーイメージオブジェクト用要素データ生成処理を行うことにより要素データを生成し、
前記第２動作モードで動作している場合には、カラーイメージオブジェクト，グレーイメージオブジェクトのいずれについても、前記カラーイメージオブジェクト用要素データ生成処理を行うことにより要素データを生成する
ユニットである
ことを特徴とするカラー印刷装置。
【請求項３】
前記制御部が、
前記印刷対象画像が複数の画像を並べたものであった場合に，前記第１動作モードで動作し、それ以外の場合に，前記第２動作モードで動作するユニットである
ことを特徴とする請求項２記載のカラー印刷装置。
【請求項４】
可搬型の記録媒体を挿入するための挿入口と、
ユーザから，各種の指示を得るための操作パネルと
を、さらに、備え、
前記制御部が、
前記挿入口に挿入された前記記録媒体上の各ファイルの内容の一覧の印刷を指示する操作が前記操作パネルに対してなされたときに、前記第１動作モードで動作するユニットである
ことを特徴とする請求項２記載のカラー印刷装置。
【請求項５】
可搬型の記録媒体を挿入するための挿入口と、
ユーザから，各種の指示を得るための操作パネルと
を、さらに、備え、
前記制御部が、
前記挿入口に挿入された前記記録媒体上の幾つかのファイルに関する割付印刷を指示する操作が前記操作パネルに対してなされたときに、前記第１動作モードで動作するユニットである
ことを特徴とする請求項２記載のカラー印刷装置。
【請求項６】
前記制御部が行う前記グレーイメージオブジェクト用要素データ生成処理が、
対応するグレイイメージオブジェクトを前記印刷実行部がピュアブラックで印刷することになる要素データを生成する処理である
ことを特徴とする請求項１乃至請求項５のいずれかに記載のカラー印刷装置。
【発明の詳細な説明】
【技術分野】
【０００１】
本発明は、カラー印刷を行うことが出来るカラー印刷装置に、関する。
【背景技術】
【０００２】
近年、市販されているカラーページプリンタの中には、受信した印刷データ（ＲＧＢ形式のもの）にて印刷すべきものとされているオブジェクト毎に、そのオブジェクトの種類（文字／図形／イメージ）に応じた内容の処理（色変換処理のみ，色変換処理及びハーフトーニング処理等）を行うことにより、印刷エンジンに供給するデータ（ＣＭＹＫ形式の，一種のイメージデータ）を生成するもの（例えば、特許文献１参照）が、存在している。
【０００３】
そのようなカラーページプリンタ（以下、従来プリンタと表記する）は、各種オブジェクトに対して同一内容の処理を行うカラーページプリンタよりも、高品質な印刷物を生成できるものとなっている。ただし、従来プリンタにて，各イメージオブジェクトに対して行われている処理は、一般的なカラーイメージオブジェクトの印刷結果がきれいなものとなるように，その内容が定められた処理（カラーイメージ中のグレイ画素の印刷が、Ｃ，Ｍ，Ｙ，Ｋトナーを混合した形で行われることになる処理）となっている。このため、従来プリンタは、モノクロ写真とカラー写真とを貼り付けた文書等を印刷させた場合、グレーイメージ部分がはっきりとしていない印刷結果が得られてしまう装置となっている。
【０００４】
【特許文献１】特開平１１−２５２３６６号公報
【発明の開示】
【発明が解決しようとする課題】
【０００５】
そこで、本発明の課題は、グレーイメージ部分がはっきりとしている印刷結果を得ることが出来るカラー印刷装置を提供することにある。
【課題を解決するための手段】
【０００６】
上記課題を解決するために、本発明の第１の態様のカラー印刷装置は、カラー印刷を行うための印刷実行部と、各種オブジェクトからなる印刷対象画像の印刷を印刷実行部に行わせるために、印刷対象画像を構成するオブジェクト毎に要素データを生成して、生成した各要素データを含む印刷内容規定データを印刷実行部に供給する処理を行う制御部であって、各カラーイメージオブジェクトについては、カラーイメージオブジェクト用要素データ生成処理を行うことにより要素データを生成し、各グレイイメージオブジェクトについては、カラーイメージオブジェクト用要素データ生成処理とは異なる内容のグレーイメージオブジェクト用要素データ生成処理を行うことにより要素データを生成する制御部とを、備える。
【０００７】
すなわち、本発明の第１の態様のカラー印刷装置は、各イメージオブジェクトについて、そのイメージオブジェクトの種類に応じた内容の処理（カラーイメージオブジェクト用要素データ生成処理或いはグレーイメージオブジェクト用要素データ生成処理）を行うことによって、印刷実行部に印刷を行わせるための印刷内容規定データを生成する構成を有している。従って、このカラー印刷装置（各要素データ生成処理の内容が適切に定められているもの）を用いれば、既存のカラーページプリンタよりも、グレーイメージ部分がはっきりとしている印刷結果（グレーイメージが引き締まった感じで印刷されている印刷結果）を得られることになる。
【０００８】
また、本発明の第２の態様のカラー印刷装置は、カラー印刷を行うための印刷実行部と、各種オブジェクトからなる印刷対象画像の印刷を印刷実行部に行わせるために、印刷対象画像を構成するオブジェクト毎に要素データを生成して、生成した各要素データを含む印刷内容規定データを印刷実行部に供給する処理を行う制御部とを備えた装置である。そして、本発明の第２の態様のカラー印刷装置が備える制御部は、第１動作モードと第２動作モードとで動作可能なユニットであると共に、第１動作モードで動作している場合には、各カラーイメージオブジェクトについては、カラーイメージオブジェクト用要素データ生成処理を行うことにより要素データを生成し、各グレイイメージオブジェクトについては、カラーイメージオブジェクト用要素データ生成処理とは異なる内容のグレーイメージオブジェクト用要素データ生成処理を行うことにより要素データを生成し、第２動作モードで動作している場合には、カラーイメージオブジェクト，グレーイメージオブジェクトのいずれについても、カラーイメージオブジェクト用要素データ生成処理を行うことにより要素データを生成するユニットとなっている。
【０００９】
すなわち、本発明の第２の態様のカラー印刷装置は、各グレイイメージオブジェクトについて、グレーイメージオブジェクト用要素データ生成処理が行われる状態（制御部が第１動作モードで動作している状態）と、各グレイイメージオブジェクトについて、カラーイメージオブジェクト用要素データ生成処理が行われる状態（制御部が第２動作モードで動作している状態）とで動作可能な構成を有している。従って、このカラー印刷装置は、グレーイメージが引き締まった感じで印刷されることが望ましい印刷物の印刷を，良好に（高品質な印刷結果が得られる形で），行える装置であると共に、グレーイメージが引き締まった感じで印刷されたのでは，全体的な見た目が悪くなる印刷物（グレーイメージ部分のみが際だってしまう印刷物）の印刷も良好に行える装置となっていることになる。
【００１０】
本発明の第２の態様のカラー印刷装置を実現するに際しては、制御部を、印刷対象画像が複数の画像を並べたものであった場合に，第１動作モードで動作し、それ以外の場合に，第２動作モードで動作するユニットとしておくことが出来る。
【００１１】
本発明の第２の態様のカラー印刷装置を、可搬型の記録媒体を挿入するための挿入口と、ユーザから，各種の指示を得るための操作パネルとを、付加し、制御部として、挿入口に挿入された記録媒体上の各ファイルの内容の一覧の印刷を指示する操作が操作パネルに対してなされたときに、第１動作モードで動作するユニットを採用した形で、実現することも出来る。本発明の第２の態様のカラー印刷装置を、可搬型の記録媒体を挿入するための挿入口と、ユーザから，各種の指示を得るための操作パネルとを、付加し、制御部として、挿入口に挿入された記録媒体上の幾つかのファイルに関する割付印刷を指示する操作が操作パネルに対してなされたときに、第１動作モードで動作するユニットを採用した形で、実現しても良い。
【００１２】
また、本発明の各態様のカラー印刷装置を実現するに際しては、グレーイメージオブジェクト用要素データ生成処理が、対応するグレイイメージオブジェクトを印刷実行部がピュアブラックで印刷することになる要素データを生成する処理となるようにしておくことが出来る。
【発明を実施するための最良の形態】
【００１３】
以下、本発明を実施するための最良の形態を、図面を参照して詳細に説明する。
【００１４】
図１に示してあるように、本実施形態に係るカラー印刷装置１０は、操作パネル１１とコントローラ１２と印刷エンジン１３とを備えた装置である。
【００１５】
このカラー印刷装置１０が備える操作パネル１１は、文字列を５行表示可能なサイズのＬＣＤ，複数の押しボタンスイッチ（上ボタン，下ボタン，左ボタン，右ボタン等），複数のＬＥＤ等からなるユニットである。印刷エンジン１３は、電子写真式の，カラー両面印刷が可能なエンジン（Ｃ，Ｍ，Ｙ，Ｋトナーによる印刷を行う，両面印刷が可能なエンジン）である。
【００１６】
コントローラ１２は、ＵＳＢホスト回路（挿入口１５に挿入されているＵＳＢメモリ３０にアクセスするためのインタフェース回路），パネルインタフェース回路，ＣＰＵ，ＲＯＭ，ＲＡＭ，パラレルインタフェース回路，ネットワークインタフェース回路，ＥＥＰＲＯＭ，画像処理回路，エンジンインタフェース回路等からなるユニットである。
【００１７】
このコントローラ１２は、本カラー印刷装置１０用のプリンタドライバ４０（図では、“ドライバ”）がインストールされているユーザＰＣ５０から，印刷データが送信されてきた場合には、その印刷データに応じた内容の印刷内容規定データ（印刷エンジン１３に印刷を行わせるための，一種のイメージデータ）を生成して印刷エンジン１３に供給する処理（以下、印刷内容規定データ生成・供給処理と表記する）を行うユニットである。
【００１８】
なお、本カラー印刷装置１０用のプリンタドライバ４０は、所定の設定を行っておけば（プリンタドライバ４０が表示するプロパティ・ダイアログボックス上の所定のチェックボックスをチェックしておけば）、その先頭部分に，所定内容の情報である要特殊印刷情報を含む印刷データを生成するプログラム（既存のプリンタドライバを，そのような機能を有するように改良したプログラム）となっている。すなわち、ユーザＰＣ５０は、デジタルカメラの撮像結果の一覧を表示できるソフト（印刷データの“ファイルへの出力”を指示できるもの）からプリンタドライバ４０を利用することにより、デジタルカメラの撮像結果の一覧を印刷させるための印刷データ（その先頭部分に要特殊印刷情報を含むもの）をカラー印刷装置１０に供給する処理や、当該印刷データのファイル（ＰＲＮファイル）を自装置にセットされているＵＳＢメモリ３０上に生成する処理を行わせることが出来る装置となっている。そして、上記した印刷内容規定データ生成・供給処理は、その実行時に、要特殊印刷情報を参照する処理が行われる処理（詳細は後述）となっている。
【００１９】
コントローラ１２は、ダイレクト印刷指示取得処理，インデックス印刷処理，画像ファイル印刷処理，文書ファイル印刷処理も行えるユニットとなっている。
【００２０】
コントローラ１２が実行するダイレクト印刷指示取得処理は、操作パネル１１のＬＣＤ上に、図２〜図５に示したような画面を表示することにより、ユーザから、インデックス印刷処理，画像ファイル印刷処理或いは文書ファイル印刷処理の開始指示や、各印刷処理の処理条件についての指示を取得する処理である。
【００２１】
より具体的には、コントローラ１２は、操作パネル１１に設けられている所定のボタンが押下された際に、ダイレクト印刷指示取得処理を開始するユニットとして構成されている。
【００２２】
そして、ダイレクト印刷指示取得処理を開始したコントローラ１２は、まず、ＬＣＤ上に、図２に示したダイレクト印刷操作画面を表示する。
【００２３】
その後、コントローラ１２は、ユーザの指示（上ボタン／下ボタンの押下）に従って、このダイレクト印刷操作画面上の反転表示されるメニュー名（“インデックス印刷”等）を変更する状態となる。そして、コントローラ１２は、“インデックス印刷”を選択する操作がなされた場合（“インデックス印刷”が反転表示されている状態で右ボタンが押下された場合）には、図３に示したインデックス印刷用設定画面をＬＣＤ上に表示する。
【００２４】
また、コントローラ１２は、ダイレクト印刷操作画面（図２）上の“画像ファイル印刷”が選択された場合には、図４に模式的に示してある構成の画像ファイル印刷用設定画面，すなわち，上ボタン／下ボタンの押下により，画面内に示されるメニュー名（“ファイル名”，“割付設定＝なし”等）の組合せや反転表示されるメニュー名が変わる画像ファイル印刷用設定画面を、ＬＣＤ上に表示する。また、コントローラ１２は、ダイレクト印刷操作画面（図２）上の“文書ファイル印刷”が選択された場合には、画像ファイル印刷用設定画面と同構成の文書ファイル印刷用設定画面（タイトルのみが画像ファイル印刷用設定画面と異なる画面）をＬＣＤ上に表示する。
【００２５】
インデックス印刷用設定画面（図３）をＬＣＤ上に表示したコントローラ１２は、“用紙サイズ＝Ａ４”が選択された場合には、操作パネル１１を，用紙サイズの設定操作が可能な手段として動作させるための処理（用紙サイズ設定画面をＬＣＤ上に表示する処理で始まる処理）を開始し、“両面印刷＝しない”が選択された場合には、操作パネル１１を，両面印刷を行うか否かの設定操作が可能な手段として動作させるための処理（両面印刷設定画面をＬＣＤ上に表示する処理で始まる処理）を開始する。そして、コントローラ１２は、各処理が完了した場合（ユーザによる用紙サイズ等の設定操作が完了した場合）には、ＬＣＤ上にインデックス印刷用設定画面を再び表示する。なお、この場合に表示されるインデックス印刷用設定画面は、設定変更後の印刷条件に応じた内容のもの（例えば、“用紙サイズ＝Ａ４”の代わりに“用紙サイズ＝Ｂ５”が示されるもの）である。
【００２６】
また、コントローラ１２は、インデックス印刷用設定画面上の“印刷開始”が選択された場合には、ダイレクト印刷指示取得処理を終了して、インデックス印刷処理（詳細は後述）を開始する。
【００２７】
画像ファイル印刷用設定画面（図４）をＬＣＤ上に表示したコントローラ１２は、“ファイル選択”が選択された場合には、ユーザに，印刷する幾つかのファイル名を指定（選択）させるための処理を行う。この処理は、ＵＳＢメモリ３０に記憶されている各画像ファイルのファイル名が示されるファイル選択画面をＬＣＤ上に表示することにより、行われるものとなっている。なお、本実施形態に係るコントローラ１２は、ファイル名の拡張子が、画像ファイルに関するものとして定められているいずれかの拡張子（ｇｉｆ，ｊｐｅｇ等）と一致しているファイルを，画像ファイルとして取り扱うユニットとなっている。
【００２８】
また、コントローラ１２は、画像ファイル印刷用設定画面上の各印刷条件設定用のメニュー名（“印刷部数＝１”，“用紙サイズ＝Ａ４”，“割付印刷＝しない”等）が選択された場合には、操作パネル１１を，選択されたメニュー名に応じた印刷条件の設定操作が可能な手段として動作させるための処理，例えば、図５に示した割付設定画面をＬＣＤ上に表示することにより、ユーザに、１枚の用紙に印刷する画像ファイル数を設定させる処理を、行う。
【００２９】
そして、コントローラ１２は、印刷する幾つかの画像ファイルが既に指定されている状態で，画像ファイル印刷用設定画面上の“印刷開始”が選択された場合には、ダイレクト印刷指示取得処理を終了して、画像ファイル印刷処理（詳細は後述）を開始する。
【００３０】
また、コントローラ１２は、文書ファイル印刷用設定画面を表示した場合には、画像ファイル印刷用設定画面の表示時と同様の処理（ファイル選択時に、ユーザに対して、画像ファイルのファイル名ではなく，文書ファイルのファイル名（拡張子がｐｄｆ，ｐｒｎ等となっているファイル名）が提示される処理）を行う。そして、コントローラ１２は、印刷する幾つかの文書ファイルが指定されている状態で，文書ファイル印刷用設定画面上の“印刷開始”が選択された場合には、ダイレクト印刷指示取得処理を終了して、文書ファイル印刷処理（詳細は後述）を開始する。
【００３１】
インデックス印刷用設定画面（図３）上の“印刷開始”が選択された際にコントローラ１２が開始するインデックス印刷処理は、挿入口１５に挿入されているＵＳＢメモリ３０に記憶されている各画像ファイルに基づき，所定数の画像ファイルが縮小印刷されている，何枚かの（ＵＳＢメモリ３０上の画像ファイル数等に応じた枚数の）印刷物を印刷させるための印刷データを生成するインデックス印刷用印刷データ生成処理と、生成した印刷データに対する印刷内容規定データ生成・供給処理（印刷データの受信時に行われるものと同じ処理）とが行われる処理である。また、このインデックス印刷処理時に行われるインデックス印刷用印刷データ生成処理は、上記した要特殊印刷情報を，その先頭部分に含む印刷データを生成するものとなっている。
【００３２】
画像ファイル印刷処理は、ＵＳＢメモリ３０に記憶されている，ユーザが指定した幾つかの画像ファイルの印刷を行わせるための印刷データを生成する画像ファイル印刷用印刷データ生成処理と、生成した印刷データに対する印刷内容規定データ生成・供給処理とが行われる処理である。この画像ファイル印刷処理時に行われる画像ファイル印刷用印刷データ生成処理は、割付印刷が指定されている場合（図５参照）には、上記した要特殊印刷情報を，その先頭部分に含む印刷データを生成するものとなっている。
【００３３】
文書ファイル印刷処理は、ＵＳＢメモリ３０に記憶されている，ユーザが指定した幾つかの文書ファイルの印刷を行わせるための印刷データを生成する文書ファイル印刷用印刷データ生成処理と、生成した印刷データに対する印刷内容規定データ生成・供給処理とが行われる処理である。この文書ファイル印刷処理は、ユーザが指定した文書ファイルがＰＲＮファイル（このファイル内の情報は、プリンタドライバ４０が生成した印刷データ）であった場合には、文書ファイル印刷用印刷データ生成処理が行われずに、文書ファイル（ＰＲＮファイル）内の印刷データに対する印刷内容規定データ生成・供給処理が行われる処理となっている。
【００３４】
そして、コントローラ１２が実行する印刷内容規定データ生成・供給処理は、オブジェクト毎に、そのオブジェクトの種類（文字オブジェクト，図形オブジェクト，イメージオブジェクト）に応じた内容の処理を行うことにより、印刷内容規定データを生成する処理であると共に、各イメージオブジェクトに対しては、図６に示した手順のイメージデータオブジェクト用要素データ生成処理が行われる処理となっている。
【００３５】
すなわち、印刷内容規定データ生成・供給処理時に実行されるイメージデータオブジェクト用要素データ生成処理は、要特殊印刷情報を含む印刷データの処理時（ステップＳ１０１；ＹＥＳ）には、グレーイメージオブジェクト(ステップＳ１０２；ＹＥＳ)に対しては、グレーイメージオブジェクト用要素データ生成処理(ステップＳ１０３)が行われ、カラーイメージオブジェクト(ステップＳ１０２；ＮＯ)に対しては、カラーイメージオブジェクト用要素データ生成処理(ステップＳ１０４)が行われる処理となっている。なお、グレーイメージオブジェクト用要素データ生成処理とは、グレーイメージオブジェクト(各画素のＲ，Ｂ，Ｇ値が一致しているイメージに関するオブジェクト）に対して実行した場合に，そのグレーイメージオブジェクトが，はっきりと（引き締まった感じで）印刷されることになる要素データ（印刷内容規定データの構成要素となるデータ；本実施形態では、グレーイメージがピュアブラックで（Ｋトナーのみで）印刷されることになる要素データ）が生成されることになるように、その内容が定められている処理のことである。また、カラーイメージオブジェクト用要素データ生成処理とは、一般的なカラーイメージオブジェクトに対して実行した場合に，そのカラーイメージオブジェクトがきれいに印刷されることになる要素データが生成されることになるように、その内容が定められている処理のことである。
【００３６】
また、イメージデータオブジェクト用要素データ生成処理は、要特殊印刷情報を含まない印刷データの処理時（ステップＳ１０１；ＮＯ）には、処理対象イメージオブジェクトが、グレーイメージオブジェクト，カラーイメージオブジェクトのいずれであっても、カラーイメージオブジェクト用要素データ生成処理(ステップＳ１０４)が行われる処理となっている。
【００３７】
以上、説明したように、本実施形態に係るカラー印刷装置１０は、自身が生成した印刷データ（或いは、ユーザＰＣ５０から送信されてきた印刷データ）にて印刷すべきことが指定されている各グレーイメージオブジェクトをピュアブラックで印刷する機能を有する装置となっている。従って、このカラー印刷装置１０を用いれば、既存のカラーページプリンタよりも、グレーイメージ部分がはっきりとしている印刷結果（グレーイメージが引き締まった感じで印刷されている印刷結果）を得ることが出来ることになる。
【００３８】
また、カラー印刷装置１０は、複数の画像ファイルの印刷を１枚の用紙上に行う場合（インデックス印刷処理，割付印刷が指定されている画像ファイル印刷処理を実行する場合）と、ユーザによって明示的に各グレーイメージオブジェクトをピュアブラックで印刷することが指示されている場合（要特殊印刷情報を含む印刷データを受信した場合及びＵＳＢメモリ３０上の，要特殊印刷情報を含むＰＲＮファイルの印刷が指示された場合）とに、各グレーイメージオブジェクトをピュアブラックで印刷し、それら以外の場合には、各グレーイメージオブジェクトをコンポジットブラックで印刷する装置となっている。従って、このカラー印刷装置１０を用いれば、グレーイメージが引き締まった感じで印刷されたのでは，全体的な見た目が悪くなる印刷物（グレーイメージ部分のみが際だってしまう印刷物）の印刷も良好に行えることになる。
【００３９】
《変形形態》
上記したカラー印刷装置１０は、各種の変形を行うことが出来る。例えば、カラー印刷装置１０を、常に、各グレーイメージオブジェクトをピュアブラックで印刷する装置に変形することが出来る。ただし、グレーイメージが引き締まった感じで印刷されたのでは，全体的な見た目が悪くなる印刷物（グレーイメージ部分のみが際だってしまう印刷物）も存在するので、カラー印刷装置１０を変形する場合には、各イメージオブジェクトに対して同内容の処理が行われる動作モードを有する装置としておくことが望ましい。
【００４０】
また、カラー印刷装置１０が実行するグレーイメージオブジェクト用要素データ生成処理は、グレーイメージがピュアブラックで（Ｋトナーのみで）印刷されることになるものであったが、カラー印刷装置１０に実行を、グレーイメージがコンポジットブラックで印刷されることになるグレーイメージオブジェクト用要素データ生成処理（カラーイメージオブジェクト用要素データ生成処理を行った場合よりも、グレーイメージがきれいに印刷されることになるもの）を実行する装置に変形することも出来る。
【００４１】
また、カラー印刷装置１０を、具体的なハードウェア構成が上記したものとは異なる装置（例えば、インクジェットプリンタや複合機）に変形することも出来る。
【図面の簡単な説明】
【００４２】
【図１】実施形態に係るカラー印刷装置の構成図。
【図２】実施形態に係るカラー印刷装置のＬＣＤ上に表示されるダイレクト印刷操作画面の説明図。
【図３】実施形態に係るカラー印刷装置のＬＣＤ上に表示されるインデックス印刷用設定画面の説明図。
【図４】実施形態に係るカラー印刷装置のＬＣＤ上に表示される画像ファイル印刷用設定画面の説明図。
【図５】実施形態に係るカラー印刷装置のＬＣＤ上に表示される割付設定画面の説明図。
【図６】実施形態に係るカラー印刷装置が、各イメージオブジェクトに対して実行するイメージオブジェクト用要素データ生成処理の流れ図。
【符号の説明】
【００４３】
１０  カラー印刷装置、  １１  操作パネル、  １２  コントローラ
１３  印刷エンジン、  １５  挿入口
３０  ＵＳＢメモリ、  ４０  プリンタドライバ、  ５０  ユーザＰＣ
【図１】
2007130794.tif 000003
【図２】
2007130794.tif 000004
【図３】
2007130794.tif 000005
【図４】
2007130794.tif 000006
【図５】
2007130794.tif 000007
【図６】
2007130794.tif 000008